(57)【要約】【課題】  ガラス面とガラスビード間に人の手の力だけで圧入することができ、また圧入のための冶具により、ガラス面を破損するおそれを減らすことができ、またガラスビードの構成の如何を問わずに、その効果が発揮され、さらに後付けのみならず先付けも可能とする結露水用の排水アタッチを提供すること。【解決手段】  実施形態に係る排水アタッチ１は、窓２の下框２０の複層ガラス２１を保持するガラスビード２２とガラス面２３間に差込まれるもので、結露水等の排水溝１１が所定個所に設けられた差込片部１０と、この差込片部１０に向けて結露水等を流下させる傾斜片部１２と、この傾斜片部１２から略鉛直状に延在すると共に、下框２０の天然木等の框構成材２００に当接される当接片部１３とから形成されている。【選択図】        図１
2006152585.tif 000002
【特許請求の範囲】
【請求項１】
戸体に装填されるガラスを保持するガラスビードとガラスの間に取付けられ、且つ、ガラス面に発生する結露水等を排出する排水アタッチであって、
該排水アタッチは長尺状に形成されていると共に、
結露水等を下方に導く排水溝が所定個所に設けられ、且つ、ガラスビードとガラス間に差込まれる差込片部と、
この差込片部から上方に傾斜された傾斜片部と、
この傾斜片部から略鉛直状に延在し、且つ、戸体の框側に当接される当接片部を備えていることを特徴とする排水アタッチ。
【請求項２】
前記排水アタッチの長尺巾は、下框の上端から臨むガラス面と略同一の長さであることを特徴とする請求項1に記載の排水アタッチ。
【請求項３】
前記排水溝は、差込片部がガラスビードに密着する面に形成されると共に、排水溝の下部に形成された下溝口は、ガラスビードに密着する面に向って楔形となっていることを特徴とする請求項1に記載の排水アタッチ。
【発明の詳細な説明】
【技術分野】
【０００１】
本発明は、建物の窓等の戸体のガラス面に発生する結露水等を排水する排水アタッチに関する。
【背景技術】
【０００２】
窓の室内側ガラス面に発生して流下する結露水を室外に排出するための結露水排出部品として、特許文献１に開示されているものがある。
この結露水排出部品は、窓のガラス面とこれに対接するガラスビード間に圧入するもので、窓ガラスの下框の空間に至るように細幅縦長であってＶ字状等の薄肉の断面形状を有する排出路本体と，該排出路本体の上端に配設し、上記ガラスビード上面に対する対接ストッパーをなす薄肉一体の外方折曲片とを備えている。
【特許文献１】特許２５４８６７３号
【０００３】
この結露水排出部品の寸法は、前記排出路本体の長さが概ね１．８センチメートル、Ｖ字状の一辺が2ミリメートルとされ、これを必要に応じて必要部位のガラスとガラスビード間に圧入することによって、水抜き孔を形成する後付け状の独立部品とされている。
【発明の開示】
【発明が解決しようとする課題】
【０００４】
しかし、この結露水排出部品においては次のような問題点を指摘することができる。
第１に、結露水排出部品を窓ガラス面とガラスビード間に圧入するに際し、人の手の力だけでは困難なため、ハンマー等の圧入のための冶具が必要になるが、この結露水排出部品が小さすぎるため、圧入の仕損じにより、ガラス面を破損するおそれがあること、
第２に、結露水が対接ストッパーまで流下することを前提としていることから、ガラスビードの構成によって、対接ストッパーがガラスビードよりも高い位置にならざるを得ないよう場合には、その効果が発揮されない場合があること、
第３に、後付け状の独立部品とされており、窓ガラスを窓框に装填する際に先付けで取付けることが困難であること等である。
そこで、本願発明では、これらの問題点を解消するために完成されたもので、ガラス面とガラスビード間に人の手の力だけで圧入することが可能であり、また圧入のための冶具を用いた場合にガラス面を破損するおそれを減らすことができ、またガラスビードの構成の如何を問わずにその効果が発揮され、さらに後付けのみならず先付けも可能とする結露水用の排水アタッチを提供することを目的とする。
【課題を解決するための手段】
【０００５】
上記課題を解決するため、本発明は戸体に装填されるガラスを保持するガラスビードとガラスの間に取付けられ、且つ、ガラス面に発生する結露水等を排出する排水アタッチであって、該排水アタッチは長尺状に形成されていると共に、結露水等を下方に導く排水溝が所定個所に設けられ、且つ、ガラスビードとガラス間に差込まれる差込片部と、この差込片部から上方に傾斜された傾斜片部と、この傾斜片部から略鉛直状に延在し、且つ、戸体の框側に当接される当接片部を備えていることを特徴とする(請求項１に記載の発明)。
【０００６】
上記発明において、戸体は典型的には建物の開口部に配置されているガラス障子であるが、これに限定されるものではなく、またガラス障子の種類も引戸式、開戸式、嵌め殺し式などあらゆる種類のものを含む。
ガラスは典型的には複層ガラスであるが、これに限定されるものではなく、単層ガラスでもよい。
ガラスビードは、グレイジングチャンネル、ガスケット等、ガラスを保持するものであればよい。
傾斜片部は、差込片部から上方に向って傾斜されたものであるが、差込片部の上端から略水平状に延在するものでもよく、結露水等が滞留することを避けることができる構成であればよい。
【０００７】
上記発明において、前記排水アタッチの長尺巾は、下框の上端から臨むガラス面と略同一の長さであること(請求項２に記載の発明)、前記排水溝は、差込片部がガラスビードに密着する面に形成されると共に、排水溝の下部に形成された下溝口は、ガラスビードに密着する面に向って楔形となっていること(請求項３に記載の発明)でもよい。
【発明の効果】
【０００８】
本発明の排水アタッチは長尺状のものであるので、ガラス面とガラスビード間に圧入し易く、また圧入のための冶具を用いた場合にガラス面の破損を防止することができる。
また、長尺状のものであるので、後付けのみならずガラスの装填時にガラスビードを介して排水アタッチを先付けすることもできる。
さらに、ガラスビードの上方に傾斜片部が位置することから、ガラスビードの構成の如何を問わずに排水の効果が発揮される。
【発明を実施するための最良の形態】
【０００９】
本発明に係る排水アタッチの実施形態を図面に基いて説明する。
図１（Ａ）は実施形態に係る排水アタッチを取付けた窓の斜視図、同図（Ｂ）は図１（Ａ）の吹出し部分の要部断面図、図２は同排水アタッチの斜視図、図３（Ａ）及び（Ｂ）は同排水アタッチの平面図及び側面図、図４〜図１０はそれぞれ排水アタッチの変形例図である。
なお、これらの各図及び後述の各図において、同一の構成は同一の符号を付して重複した説明を省略する。
【００１０】
実施形態に係る排水アタッチ１は、窓２の下框２０に装填されるガラス、例えば複層ガラス２１を保持するガラスビード２２と複層ガラス２１のガラス面２３間に取付けられるもので、図２等に示したように結露水等の排水溝１１が所定個所に設けられた差込片部１０と、この差込片部１０に向けて結露水等を流下させる傾斜片部１２と、この傾斜片部１２から略鉛直状に延在すると共に、窓２の框側である天然木等の框構成材２００に当接される当接片部１３とから形成されている。
【００１１】
前記差込片部１０は、ガラスビード２２とガラス面２３間に圧入されることで、その排水溝１１をガラスビード２２とガラス面２３とが密着されている部分に導き入れる薄板状のもので、ガラス面２３に密着されるガラス密着面１００とガラスビード２２に密着されるガラスビード密着面１０１を備えている。
排水アタッチ１自体は後述のように長尺状に形成され、その差込片部１０も長尺状に形成されているが、排水溝１１の周囲にのみ形成してもよく、その形成の態様は任意である。
また、前記差込片部１０の最大高さ寸法はガラスビード２２の側面の高さに略等しくすればよいが、その高さ寸法も任意である。
【００１２】
前記排水溝１１は、結露水等を下框２０の下方に向けて落込むもので、前記差込片部１０の高さ方向に沿って所定個所に形成された溝部１１０と、その溝部１１０の上部の上溝口１１１と、その溝部１１０の下部の下溝口１１２から構成されている（図２参照）。
前記溝部１１０は、その横方向の断面形状が略Ｖ字状に成形され、前記ガラスビード密着面１０１側に鋭角溝１１０ａが形成されている。この鋭角溝１１０ａの周囲はガラス密着面１００及び記ガラスビード密着面１０１となっているので、窓２の下框２０の気密性が確保されている。
なお、溝部１１０の横方向の断面形状は、Ｖ字状に限定されるものではなく、半円状のものでもよい。
【００１３】
前記上溝口１１１は、前記溝部１１０の略Ｖ字状の鋭角溝１１０ａによって前記傾斜片部１２に食込むように構成されたもので、結露水等が流入し易いようになっている。
【００１４】
前記下溝口１１２は、図３（Ｂ）に示したように前記溝部１１０の鋭角溝１１０ａの途中でカットされ、一方、略Ｖ字状の開口が前記差込片部１０の略下端１０２まで連続して形成されている。
よって前記下溝口１１２の側面形状は、前記ガラスビード密着面１０１側に向って楔形となっていて水切りを形成すると共に、前記差込片部１０をガラスビード２２とガラス面２３間に圧入し易くなっている。
以上のように構成された前記排水溝１１の個数やその形成位置は、結露水等を効率良く排水できる数や形成位置であればよい。
【００１５】
前記傾斜片部１２は、前記差込片部１０の上端１０３から斜め上方に（差込片部１０に対し鈍角状に）延在する延在部１２０で構成され、その下端１２１に前記上溝口１１１を臨ませている。
この延在部１２０は、結露水等を前記上溝口１１１に導き入れると共に、前記差込片部１０をガラスビード２２とガラス面２３間に圧入する際に、圧入力を加えることができる範囲を拡大し、且つ、圧入力を均等に差込片部に伝える役割も有し、差込片部１０を圧入し易くしている。
また、この延在部１２０は差込片部１０に対し鈍角状に形成され、またガラスビード２２の上方に位置するので、ガラスビード２２の構成如何によらず結露水等を前記上溝口１１１に向けて流下させることができる。
【００１６】
前記当接片部１３は、前記延在部１２０の上端１２２から略鉛直状に立ち上がる所定高さの立上部１３０と、前記延在部１２０の上端１２２から略鉛直状に立ち下がる所定高さの立下部１３１を備えている。
前記立上部１３０の高さ寸法は、前記差込片部１０をガラスビード２２とガラス面２３間に圧入した場合に、その上端１３０ａが下框２０の框構成材２００の上端に略一致させるようになっている。
一方、前記立下部１３１の高さ寸法は、前記差込片部１０をガラスビード２２とガラス面２３間に圧入した場合に、その下端１３１ａがパッキング材等の框構成材２０１の上面に当接させるようになっている。
このように構成された前記当接片部１３は、框構成材２００に当接しつつ、スライドすることから、前記差込片部１０をガラスビード２２とガラス面２３間に圧入する際のガイドともなる。
【００１７】
上記排水アタッチ１の長尺方向の長さは任意であり、例えば、窓２の下框２０から上方に臨んでいるガラス面の長さ（ガラス割寸法）と略一致させてもよいし、下框２０の中央部分のみに配置してもよいし、下框２０の左側、中央、右側に分断するようにピース状の寸法にしてもよい。
なお排水アタッチ１の材質は、ステンレス等の金属であるが、その他合成樹脂等であってもよい。
【００１８】
前記ガラスビード２２としては、ガラスの四周を包み込むグレイジングチャンネルを用いると共に、その底面に排水用の孔２２０を形成したものを用いる。
従って、ガラス面２３に発生して流下する結露水は、図１(Ｂ)に示したように、前記排水アタッチ１の傾斜片部１２から前記排水溝１１の上溝口１１１へ流入し、溝部１１０から下溝口１１２に導出され、さらにガラスビード２２の孔２２０から下框２０の孔２０２を介して室外側に排出される。
なお、前記ガラスビード２２の自由端の両端はそれぞれ左右略対称に形成されているが、ガラスビード２２のそれぞれの自由端は左右非対称でもよい。
【００１９】
次に、上記のように構成された排水アタッチ１の取付方法を説明する。
既設の窓２に対して排水アタッチ１を後付けるには、前記差込片部１０の下端１０２をガラスビード２２とガラス面２３の境界に押し当てて、当木等を介して圧入する。直接、手の力を前記傾斜片部１２に均等に加えて圧入することも可能である。
また、排水アタッチ１を先付けるには、複層ガラス２１を窓２の框に装填する際にガラスビード２２と共に排水アタッチ１をセットすればよい。
【００２０】
以上のように排水アタッチ１によれば、窓２の下框２０に取付け易いサイズの排水アタッチとなっている、ガラス面２３とこれに対接するガラスビード２２間に人の手の力だけで圧入することができる、圧入のための冶具を用いてもガラス面２３を破損する危険性を減らすことができる、ガラスビード２２の位置、構成などを問題とすることなく、結露水を排水できる、取付方法において、後付けのみならず窓を製造する際にもセットすることができる等のメリットがある。
【００２１】
次に、排水アタッチ１の変形例を説明する。
図４〜図１０に示した変形例は、窓２の下框２の框構成材２００の形状や取付位置に対応させて、前記傾斜片部１２、当接片部１３の構成を変形させている。
図４及び図５に示した排水アタッチ１Ａ及び排水アタッチ１Ｂでは、框構成材２００の段差部２０３に前記立上部１３０と立下部１３１が位置されるようにしている。
【００２２】
また、図６示した排水アタッチ１Ｃでは、前記立下部１３１の下端が直接、ガラスビード２２に接している。
また、図７示した排水アタッチ１Ｄでは、前記框構成材２００が取り付けられていない場合に、当接片部１３を直接的に框側の下框２０に接するようにしている。
【００２３】
また、図８に示した排水アタッチ１Ｅでは、前記当接片部１３の立上部を設けずに立下部１３１のみとして、その立下部１３１を框構成材２００に当接させている。
また、図９に示した排水アタッチ１Ｆでは、前記当接片部１３について立下部を設けずに立上部１３０のみとして、その立上部１３０を框構成材２００に当接させている。
【００２４】
また、図１０に示した排水アタッチ１Ｇでは、ガラス２１がシール収まりの場合に、下框２０とその框構成材２００間にパッキング材等２０１を介在させ、そのパッキング材２０１と下框２０間に差込むと共に、立下部を設けずに立上部１３０のみとして、その立上部１３０を框構成材２００に当接させている。
以上の変形例において、その他の構成は上記実施形態と略同一であり、これらの排水アタッチ１Ａ〜１Ｇにおいても、排水アタッチ１と略同一の作用効果を奏する。
【図面の簡単な説明】
【００２５】
【図１】（Ａ）実施形態に係る排水アタッチを取付けた窓の斜視図、（Ｂ）図１（Ａ）に示した吹き出し部分の要部断面図、
【図２】同排水アタッチの斜視図、
【図３】（Ａ）同排水アタッチの平面図、（Ｂ）  同排水アタッチの側面図、
【図４】同排水アタッチの変形例図、
【図５】同排水アタッチの変形例図、
【図６】同排水アタッチの変形例図、
【図７】同排水アタッチの変形例図、
【図８】同排水アタッチの変形例図、
【図９】同排水アタッチの変形例図、
【図１０】同排水アタッチの変形例図。
【符号の説明】
【００２６】
１  １Ａ〜１Ｇ  排水アタッチ
１１  排水溝                                    １０  差込片部
１２  傾斜片部                                  １３  当接片部
１００  ガラス密着面                            １０１  ガラスビード密着面
１１０  溝部                                    １１１  上溝口
１１２  下溝口                                  １１０ａ  鋭角溝
１２０  延在部                                  １３０  立上部
１３１  立下部
２  窓
２０  下框                                      ２１  複層ガラス
２２  ガラスビード                              ２３  ガラス面
２００  ２０１  框構成材                        ２２０  排水用の孔
２０２  下框の孔
【図１】
2006152585.tif 000003
【図２】
2006152585.tif 000004
【図３】
2006152585.tif 000005
【図４】
2006152585.tif 000006
【図５】
2006152585.tif 000007
【図６】
2006152585.tif 000008
【図７】
2006152585.tif 000009
【図８】
2006152585.tif 000010
【図９】
2006152585.tif 000011
【図１０】
2006152585.tif 000012